【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
ベクトル処理動作を実行する少なくとも１つの実行ユニットによって生成された、結果として生じる出力ベクトルデータサンプルセットをインフライト逆拡散するように構成された、ベクトル処理エンジン（ＶＰＥ）であって、
少なくとも１つのベクトルデータファイルであって、
ベクトル処理動作のための少なくとも１つの入力データフローパス内にフェッチされた入力ベクトルデータサンプルセットを供給することと、
記憶されるべき少なくとも１つの出力データフローパスからの少なくとも１つの逆拡散された、結果として生じる出力ベクトルデータサンプルセットを受信することと
を行うように構成された、少なくとも１つのベクトルデータファイルと、
前記少なくとも１つの入力データフローパス内に設けられた少なくとも１つの実行ユニットと、前記少なくとも１つの実行ユニットは、
前記少なくとも１つの入力データフローパス上で前記入力ベクトルデータサンプルセットを受信することと、
レジスタファイルからコードシーケンスベクトルデータサンプルセットを受信することと、
前記少なくとも１つの出力データフローパス上で、結果として生じる出力ベクトルデータサンプルセットを供給するために、前記入力ベクトルデータサンプルセットを前記コードシーケンスベクトルデータサンプルセットと乗算することと
を行うように構成される、
少なくとも１つの逆拡散回路であって、
前記少なくとも１つの出力データフローパス上で前記結果として生じる出力ベクトルデータサンプルセットを受信することと、
前記結果として生じる出力ベクトルデータサンプルセットが前記少なくとも１つのベクトルデータファイルに記憶されることなく、少なくとも１つの逆拡散された、結果として生じる出力ベクトルデータサンプルセットを供給するように、前記結果として生じる出力ベクトルデータサンプルセットを逆拡散することと、ここにおいて、前記少なくとも１つの逆拡散回路は、
複数の加算器ツリーレベルを有する加算器ツリーと、前記加算器ツリーレベルの各々は、異なる拡散係数に対応する、逆拡散ベクトルデータサンプルセットを供給するように構成される、
前記少なくとも１つの逆拡散された、結果として生じる出力ベクトルデータサンプルセットを供給するために、前記加算器ツリーレベルのうちの１つの前記逆拡散ベクトルデータサンプルセットを選択するように構成された少なくとも１つの選択器と
を備える、
前記少なくとも１つの出力データフローパス上で、前記少なくとも１つの逆拡散された、結果として生じる出力ベクトルデータサンプルセットを供給することと
を行うように構成された、少なくとも１つの逆拡散回路と
を備える、ＶＰＥ。
【請求項２】
前記少なくとも１つのベクトルデータファイルは、
前記ベクトル処理動作のための前記少なくとも１つの入力データフローパスにおいて、前記少なくとも１つのベクトルデータファイルの幅の前記入力ベクトルデータサンプルセットを供給することと、
記憶されるべき前記少なくとも１つの出力データフローパスからの前記少なくとも１つのベクトルデータファイルの前記幅の前記少なくとも１つの逆拡散された、結果として生じる出力ベクトルデータサンプルセットを受信することと
を行うように構成される、請求項１に記載のＶＰＥ。
【請求項３】
前記少なくとも１つのベクトルデータファイルは、
前記少なくとも１つの入力データフローパスにおいて少なくとも１つのベクトルデータファイル出力上で、前記入力ベクトルデータサンプルセットを供給することと、
前記少なくとも１つの出力データフローパスにおいて少なくとも１つのベクトルデータファイル入力上で前記少なくとも１つの逆拡散された、結果として生じる出力ベクトルデータサンプルセットを受信することと
を行うようにさらに構成され、
前記少なくとも１つの実行ユニットは、
前記少なくとも１つの入力データフローパスにおいて少なくとも１つの実行ユニット入力上で前記入力ベクトルデータサンプルセットを受信することと、
前記少なくとも１つの入力データフローパスにおいて少なくとも１つの実行ユニット出力上で前記結果として生じる出力ベクトルデータサンプルセットを供給するために、前記入力ベクトルデータサンプルセットを前記コードシーケンスベクトルデータサンプルセットと乗算することと
を行うように構成され、
前記少なくとも１つの逆拡散回路は、
前記少なくとも１つの実行ユニットから、前記少なくとも１つの入力データフローパスにおいて少なくとも１つの逆拡散回路入力上で前記結果として生じる出力ベクトルデータサンプルセットを受信することと、
前記少なくとも１つの出力データフローパスにおいて少なくとも１つの逆拡散回路出力上で、前記逆拡散された、結果として生じる出力ベクトルデータサンプルセットを供給することと
を行うようにさらに構成される、
請求項１に記載のＶＰＥ。
【請求項４】
各加算器ツリーレベルの前記逆拡散ベクトルデータサンプルセットが、異なるビット幅を有する、請求項１に記載のＶＰＥ。
【請求項５】
前記コードシーケンスベクトルデータサンプルセットは、少なくとも１つのＣＤＭＡチップコードシーケンスから構成される、
請求項１に記載のＶＰＥ。
【請求項６】
前記少なくとも１つの逆拡散回路は、前記結果として生じる出力ベクトルデータサンプルセットを選択的に逆拡散するために実行されるベクトル命令に従って、プログラム可能な逆拡散データパス構成入力に基づいて構成可能なように構成される、
請求項１に記載のＶＰＥ。
【請求項７】
前記少なくとも１つの逆拡散回路は、前記少なくとも１つの実行ユニットによって実行されるべき前記ＶＰＥのクロックサイクルごとに、前記結果として生じる出力ベクトルデータサンプルセットを選択的に逆拡散するために実行されるべきベクトル命令に従って、前記プログラム可能な逆拡散データパス構成入力に基づいて構成可能なようにさらに構成される、または、
前記少なくとも１つの逆拡散回路は、前記少なくとも１つの実行ユニットによって実行されるべき次のベクトル命令で、前記結果として生じる出力ベクトルデータサンプルセットを選択的に逆拡散するために実行されるベクトル命令に従って、前記プログラム可能な逆拡散データパス構成入力に基づいて構成可能なようにさらに構成される、
請求項６に記載のＶＰＥ。
【請求項８】
前記少なくとも１つの実行ユニットは、前記少なくとも１つの実行ユニットのためのプログラム可能な入力データフローパス構成に基づいて、前記入力ベクトルデータサンプルセットからの入力ベクトルデータサンプルの様々なビット幅を処理するように構成可能である、
請求項１に記載のＶＰＥ。
【請求項９】
前記少なくとも１つの逆拡散回路は、複数のラッチをさらに備え、前記少なくとも１つの逆拡散回路は、前記複数のラッチに、前記少なくとも１つの逆拡散された、結果として生じる出力ベクトルデータサンプルセットを記憶するようにさらに構成される、
請求項１に記載のＶＰＥ。
【請求項１０】
前記少なくとも１つの逆拡散回路は、前記複数のラッチの中の選択されたラッチに、前記逆拡散された、結果として生じる出力ベクトルデータサンプルセットのうちの少なくとも１つの逆拡散された、結果として生じる出力ベクトルデータサンプルを記憶するようにさらに構成される、
請求項９に記載のＶＰＥ。
【請求項１１】
前記少なくとも１つの選択器は、前記複数のラッチに対応する複数の選択器をさらに備え、前記少なくとも１つの逆拡散回路が、前記複数のラッチの中の選択されたラッチに、前記少なくとも１つの逆拡散された、結果として生じる出力ベクトルデータサンプルセットを記憶するために、前記複数の選択器の中の選択器を制御するように構成される、
請求項９に記載のＶＰＥ。
【請求項１２】
前記少なくとも１つの逆拡散回路は、前記少なくとも１つのベクトルデータファイルに記憶されるべき、前記少なくとも１つの出力データフローパスにおいて、前記少なくとも１つの逆拡散された、結果として生じる出力ベクトルデータサンプルセットを供給する前に、前記複数のラッチに前記少なくとも１つの逆拡散された、結果として生じる出力ベクトルデータサンプルセットを記憶するようにさらに構成される、
請求項９に記載のＶＰＥ。
【請求項１３】
ベクトル処理動作を実行する少なくとも１つの実行ユニットによって生成された、結果として生じる出力ベクトルデータサンプルセットをインフライト逆拡散する方法であって、
少なくとも１つのベクトルデータファイルからベクトル処理動作のための少なくとも１つの入力データフローパス内にフェッチされた入力ベクトルデータサンプルセットを供給することと、
前記少なくとも１つの入力データフローパス内に設けられた少なくとも１つの実行ユニットにおいて、前記少なくとも１つの入力データフローパス上で前記入力ベクトルデータサンプルセットを受信することと、
レジスタファイルからコードシーケンスベクトルデータサンプルセットを受信することと、
前記少なくとも１つの入力データフローパス上で、結果として生じる出力ベクトルデータサンプルセットを供給するために、前記入力ベクトルデータサンプルセットを前記コードシーケンスベクトルデータサンプルセットと乗算することと、
前記結果として生じる出力ベクトルデータサンプルセットが前記少なくとも１つのベクトルデータファイルに記憶されることなく、少なくとも１つの逆拡散された、結果として生じる出力ベクトルデータサンプルセットを供給するように、前記結果として生じる出力ベクトルデータサンプルセットを逆拡散することと、ここにおいて、前記結果として生じる出力ベクトルデータサンプルセットを逆拡散することは、
複数の逆拡散ベクトルデータサンプルセットを供給することと、前記逆拡散ベクトルデータサンプルセットの各々が、異なる拡散係数に対応する、
前記少なくとも１つの逆拡散された、結果として生じる出力ベクトルデータサンプルセットを供給するために、前記逆拡散ベクトルデータサンプルセットのうちの１つを選択することと、
をさらに備える、
前記少なくとも１つのベクトルデータファイルに、前記少なくとも１つの出力データフローパスからの前記少なくとも１つの逆拡散された、結果として生じる出力ベクトルデータサンプルセットを記憶することと
を備える、方法。
【請求項１４】
前記複数の逆拡散ベクトルデータサンプルセットの各々が、異なるビット幅を有する、請求項１３に記載の方法。
【請求項１５】
実行されるベクトル命令に従ってプログラム可能な逆拡散データパス構成入力を受信することと、
前記プログラム可能な逆拡散データパス構成入力に基づいて、前記結果として生じる出力ベクトルデータサンプルセットを選択的に逆拡散することと
をさらに備え、および、好ましくは、
前記少なくとも１つの実行ユニットによって実行されるべきＶＰＥのクロックサイクルごとに、前記プログラム可能な逆拡散データパス構成入力に基づいて、前記結果として生じる出力ベクトルデータサンプルセットを選択的に逆拡散することをさらに備える、または、
前記少なくとも１つの実行ユニットによって実行されるべき次のベクトル命令で受信される前記プログラム可能な逆拡散データパス構成入力に基づいて、前記結果として生じる出力ベクトルデータサンプルセットを選択的に逆拡散することをさらに備える、
請求項１３に記載の方法。
【手続補正２】
【補正対象書類名】明細書
【補正対象項目名】０２４７
【補正方法】変更
【補正の内容】
【０２４７】
[00292]本開示の前の説明は、当業者が本開示を製作または使用することを可能にするために提供される。本開示に対する様々な修正は当業者には容易に明らかになり、本明細書で定義された一般原理は、本開示の趣旨または範囲から逸脱することなく、他の変形形態に適用される場合がある。したがって、本開示は、本明細書に記載された例および設計に限定されるものではなく、本明細書で開示された原理および新規の特徴と一致する最も広い範囲が与えられるべきである。
以下に本願の出願当初の特許請求の範囲に記載された発明を付記する。
[Ｃ１]  ベクトル処理動作を実行する少なくとも１つの実行ユニットによって生成された、結果として生じる出力ベクトルデータサンプルセットをインフライト逆拡散するように構成された、ベクトル処理エンジン（ＶＰＥ）であって、
ベクトル処理動作のための少なくとも１つの入力データフローパス内にフェッチされた入力ベクトルデータサンプルセットを供給することと、
記憶されるべき少なくとも１つの出力データフローパスからの少なくとも１つの逆拡散された、結果として生じる出力ベクトルデータサンプルセットを受信することと
を行うように構成された、少なくとも１つのベクトルデータファイルと、
前記少なくとも１つの入力データフローパス上で前記入力ベクトルデータサンプルセットを受信することと、
レジスタファイルからコードシーケンスベクトルデータサンプルセットを受信することと、
前記少なくとも１つの入力データフローパス上に、結果として生じる出力ベクトルデータサンプルセットを供給するために、前記入力ベクトルデータサンプルセットを前記コードシーケンスベクトルデータサンプルセットと乗算することと
を行うように構成された、前記少なくとも１つの入力データフローパス内に設けられた少なくとも１つの実行ユニットと、
前記結果として生じる出力ベクトルデータサンプルセットを受信することと、
前記結果として生じる出力ベクトルデータサンプルセットが前記少なくとも１つのベクトルデータファイルに記憶されることなく、少なくとも１つの逆拡散された、結果として生じる出力ベクトルデータサンプルセットを供給するために、前記結果として生じる出力ベクトルデータサンプルセットを逆拡散することと、
前記少なくとも１つの出力データフローパス上に前記少なくとも１つの逆拡散された、結果として生じる出力ベクトルデータサンプルセットを供給することと
を行うように構成された、少なくとも１つの逆拡散回路と
を備える、ＶＰＥ。
[Ｃ２]  前記少なくとも１つのベクトルデータファイルは、
前記ベクトル処理動作のための前記少なくとも１つの入力データフローパス内に前記少なくとも１つのベクトルデータファイルの幅の前記入力ベクトルデータサンプルセットを供給することと、
記憶されるべき前記少なくとも１つの出力データフローパスからの前記少なくとも１つのベクトルデータファイルの前記幅の前記少なくとも１つの逆拡散された、結果として生じる出力ベクトルデータサンプルセットを受信することと
を行うように構成される、Ｃ１に記載のＶＰＥ。
[Ｃ３]  前記少なくとも１つのベクトルデータファイルは、
前記少なくとも１つの入力データフローパス内の少なくとも１つのベクトルデータファイル出力上に前記入力ベクトルデータサンプルセットを供給することと、
前記少なくとも１つの出力データフローパス内の少なくとも１つのベクトルデータファイル入力上で前記少なくとも１つの逆拡散された、結果として生じる出力ベクトルデータサンプルセットを受信することと
を行うようにさらに構成され、
前記少なくとも１つの実行ユニットは、
前記少なくとも１つの入力データフローパス内の少なくとも１つの実行ユニット入力上で前記入力ベクトルデータサンプルセットを受信することと、
前記少なくとも１つの入力データフローパス内の少なくとも１つの実行ユニット出力上に前記結果として生じる出力ベクトルデータサンプルセットを供給するために、前記入力ベクトルデータサンプルセットを前記コードシーケンスベクトルデータサンプルセットと乗算することと
を行うように構成され、
前記少なくとも１つの逆拡散回路は、
前記少なくとも１つの実行ユニットから、前記少なくとも１つの入力データフローパス内の少なくとも１つの逆拡散回路入力上で前記結果として生じる出力ベクトルデータサンプルセットを受信することと、
前記少なくとも１つの出力データフローパス内の少なくとも１つの逆拡散回路出力上に前記逆拡散された、結果として生じる出力ベクトルデータサンプルセットを供給することと
を行うようにさらに構成される、
Ｃ１に記載のＶＰＥ。
[Ｃ４]  前記逆拡散回路は、前記少なくとも１つの逆拡散された、結果として生じる出力ベクトルデータサンプルセットを供給するために、前記結果として生じる出力ベクトルデータサンプルセット内のサンプルを逆拡散するように構成された少なくとも１つの加算器から構成される、
Ｃ１に記載のＶＰＥ。
[Ｃ５]  前記少なくとも１つの加算器は、加算器ツリー内に設けられた複数の加算器から構成され、前記複数の加算器の各々が、各々が異なるビット幅を有する複数の逆拡散された、結果として生じる出力ベクトルデータサンプルセットを供給するように構成される、
Ｃ４に記載のＶＰＥ。
[Ｃ６]  前記逆拡散回路は、前記複数の１つの、結果として生じる出力ベクトルデータサンプルセットのうちの１つを選択するように構成された逆拡散選択器をさらに備える、
Ｃ５に記載のＶＰＥ。
[Ｃ７]  前記コードシーケンスベクトルデータサンプルセットは、少なくとも１つのＣＤＭＡチップコードシーケンスから構成される、
Ｃ１に記載のＶＰＥ。
[Ｃ８]  前記少なくとも１つの逆拡散回路は、前記結果として生じる出力ベクトルデータサンプルセットを選択的に逆拡散するために、プログラム可能な逆拡散データ経路構成入力に基づいて再構成されるように構成可能である、
Ｃ１に記載のＶＰＥ。
[Ｃ９]  前記少なくとも１つの逆拡散回路は、前記少なくとも１つの実行ユニットによって実行されるべき前記ＶＰＥのクロックサイクルごとに、前記結果として生じる出力ベクトルデータサンプルセットを選択的に逆拡散するために、前記プログラム可能な逆拡散データ経路構成入力に基づいて再構成されるようにさらに構成される、
Ｃ８に記載のＶＰＥ。
[Ｃ１０]  前記少なくとも１つの逆拡散回路は、前記少なくとも１つの実行ユニットによって実行されるべき次のベクトル命令上で、前記結果として生じる出力ベクトルデータサンプルセットを選択的に逆拡散するために、前記プログラム可能な逆拡散データ経路構成入力に基づいて再構成されるようにさらに構成される、
Ｃ８に記載のＶＰＥ。
[Ｃ１１]  前記少なくとも１つの実行ユニットは、前記少なくとも１つの実行ユニットのためのプログラム可能な入力データフローパス構成に基づいて、前記入力ベクトルデータサンプルセットからの入力ベクトルデータサンプルの様々なビット幅を処理するように構成可能である、
Ｃ１に記載のＶＰＥ。
[Ｃ１２]  前記少なくとも１つの逆拡散回路は、複数のラッチをさらに備え、前記少なくとも１つの逆拡散回路は、前記複数のラッチに前記少なくとも１つの逆拡散された、結果として生じる出力ベクトルデータサンプルセットを記憶するようにさらに構成される、
Ｃ１に記載のＶＰＥ。
[Ｃ１３]  前記少なくとも１つの逆拡散回路は、前記複数のラッチの中の選択されたラッチに前記少なくとも１つの逆拡散された、結果として生じる出力ベクトルデータサンプルセットを記憶するようにさらに構成される、
Ｃ１２に記載のＶＰＥ。
[Ｃ１４]  前記少なくとも１つの逆拡散回路は、前記複数のラッチに対応する複数の選択器をさらに備え、前記少なくとも１つの逆拡散回路が、前記複数のラッチの中の選択されたラッチに前記少なくとも１つの逆拡散された、結果として生じる出力ベクトルデータサンプルセットを記憶するために、前記複数の選択器の中の選択器を制御するように構成される、
Ｃ１２に記載のＶＰＥ。
[Ｃ１５]  前記少なくとも１つの逆拡散回路は、前記少なくとも１つのベクトルデータファイルに記憶されるために、前記少なくとも１つの出力データフローパス内に前記少なくとも１つの逆拡散された、結果として生じる出力ベクトルデータサンプルセットを供給する前に、前記複数のラッチに前記少なくとも１つの逆拡散された、結果として生じる出力ベクトルデータサンプルセットを記憶するようにさらに構成される、
Ｃ１２に記載のＶＰＥ。
[Ｃ１６]  ベクトル処理動作を実行する少なくとも１つの実行ユニットによって生成された、結果として生じる出力ベクトルデータサンプルセットをインフライト逆拡散するように構成された、ベクトル処理エンジン（ＶＰＥ）であって、
ベクトル処理動作のための少なくとも１つの入力データフローパス手段内にフェッチされた入力ベクトルデータサンプルセットを供給するための手段と、
記憶されるべき少なくとも１つの出力データフローパス手段からの少なくとも１つの逆拡散された、結果として生じる出力ベクトルデータサンプルセットを受信するための手段と
を備える、少なくとも１つのベクトルデータファイル手段と、
前記少なくとも１つの入力データフローパス手段上で前記入力ベクトルデータサンプルセットを受信するための手段と、
レジスタファイルからコードシーケンスベクトルデータサンプルセットを受信するための手段と、
前記少なくとも１つの入力データフローパス手段上に、結果として生じる出力ベクトルデータサンプルセットを供給するために、前記入力ベクトルデータサンプルセットを前記コードシーケンスベクトルデータサンプルセットと乗算するための乗算手段と
を備える、前記少なくとも１つの入力データフローパス手段内に設けられた少なくとも１つの実行ユニット手段と、
前記少なくとも１つの入力データフローパス手段上で前記結果として生じる出力ベクトルデータサンプルセットを受信するための手段と、
前記結果として生じる出力ベクトルデータサンプルセットが前記少なくとも１つのベクトルデータファイル手段に記憶されることなく、少なくとも１つの逆拡散された、結果として生じる出力ベクトルデータサンプルセットを供給するために、前記結果として生じる出力ベクトルデータサンプルセットを前記コードシーケンスベクトルデータサンプルセットと逆拡散するための逆拡散手段と、
前記少なくとも１つの出力データフローパス手段上に前記少なくとも１つの逆拡散された、結果として生じる出力ベクトルデータサンプルセットを供給するための手段と
を備える、少なくとも１つの逆拡散回路手段と
を備える、ベクトル処理エンジン（ＶＰＥ）。
[Ｃ１７]  ベクトル処理動作を実行する少なくとも１つの実行ユニットによって生成された、結果として生じる出力ベクトルデータサンプルセットをインフライト逆拡散する方法であって、
少なくとも１つのベクトルデータファイルからベクトル処理動作のための少なくとも１つの入力データフローパス内にフェッチされた入力ベクトルデータサンプルセットを供給することと、
前記少なくとも１つの入力データフローパス内に設けられた少なくとも１つの実行ユニット内の前記少なくとも１つの入力データフローパス上で前記入力ベクトルデータサンプルセットを受信することと、
レジスタファイルからコードシーケンスベクトルデータサンプルセットを受信することと、
前記少なくとも１つの入力データフローパス上に、結果として生じる出力ベクトルデータサンプルセットを供給するために、前記入力ベクトルデータサンプルセットを前記コードシーケンスベクトルデータサンプルセットと乗算することと、
前記結果として生じる出力ベクトルデータサンプルセットが前記少なくとも１つのベクトルデータファイルに記憶されることなく、少なくとも１つの逆拡散された、結果として生じる出力ベクトルデータサンプルセットを供給するために、前記結果として生じる出力ベクトルデータサンプルセットを逆拡散することと、
前記少なくとも１つのベクトルデータファイルに前記少なくとも１つの出力データフローパスからの前記少なくとも１つの逆拡散された、結果として生じる出力ベクトルデータサンプルセットを記憶することと
を備える、方法。
[Ｃ１８]  前記結果として生じる出力ベクトルデータサンプルセットを逆拡散することは、前記少なくとも１つの逆拡散された、結果として生じる出力ベクトルデータサンプルセットを供給するために、少なくとも１つの加算器内で前記結果として生じる出力ベクトルデータサンプルセット内の逆拡散サンプルを加算することをさらに備える、
Ｃ１７に記載の方法。
[Ｃ１９]  前記少なくとも１つの加算器は、加算器ツリー内に設けられた複数の加算器から構成され、前記複数の加算器の各々が、各々が異なるビット幅を有する複数の逆拡散された、結果として生じる出力ベクトルデータサンプルセットを供給するように構成される、
Ｃ１８に記載の方法。
[Ｃ２０]  前記少なくとも１つの出力データフローパス内に前記少なくとも１つの結果として生じる出力ベクトルデータサンプルセットとして供給するために、前記複数の逆拡散された、結果として生じる出力ベクトルデータサンプルセットのうちの１つを選択することをさらに備える、
Ｃ１９に記載の方法。
[Ｃ２１]  プログラム可能な逆拡散データ経路構成入力を受信することと、
前記プログラム可能な逆拡散データ経路構成入力に基づいて、前記結果として生じる出力ベクトルデータサンプルセットを選択的に逆拡散することと
をさらに備える、Ｃ１７に記載の方法。
[Ｃ２２]  前記少なくとも１つの実行ユニットによって実行されるべきＶＰＥのクロックサイクルごとに、前記プログラム可能な逆拡散データ経路構成入力に基づいて、前記結果として生じる出力ベクトルデータサンプルセットを選択的に逆拡散することをさらに備える、
Ｃ２１に記載の方法。
[Ｃ２３]  前記少なくとも１つの実行ユニットによって実行されるべき次のベクトル命令上で受信された前記プログラム可能な逆拡散データ経路構成入力に基づいて、前記結果として生じる出力ベクトルデータサンプルセットを選択的に逆拡散することをさらに備える、
Ｃ２１に記載の方法。